(57)【要約】【課題】  無線カードを通じてファイルシステム上のファイルを操作する。【解決手段】  無線カードＡ４３にはファイルシステム５２０上のカードＡフォルダ５４３が関連付けられ、無線カードＸ４４にはファイルシステム５２０上のカードＸフォルダ５４４が関連付けられている。カードアクセス装置２４０における上部に無線カードＡ４３が載置され、下部に無線カードＸ４４が載置された場合には、無線カードＡ４３に対応するファイルシステム５２０上のカードＡフォルダ５４３に、無線カードＸ４４に対応するファイルシステム５２０上のカードＸフォルダ５４４内のファイルが転送されるものという取り決めが予め行われるものとする。これにより、無線カードを通じてカードＸフォルダ５４４内のファイルｘがカードＡフォルダ５４３に転送される。【選択図】      図４
2006285367.tif 000002
【特許請求の範囲】
【請求項１】
ファイルシステム上の所定のファイルに関連付けられた複数の無線カードとの間で通信を行う通信手段と、
前記通信が行われた前記複数の無線カード同士の順位を決定する順位決定手段と、
前記順位に応じて前記複数の無線カードに関連付けられたファイル間の操作を前記ファイルシステムに要求するファイル操作要求手段と
を具備することを特徴とするファイル制御装置。
【請求項２】
前記無線カードは、前記関連付けられたファイルの格納場所を保持し、
前記ファイル操作要求手段は、前記格納場所に基づいて前記操作を要求することを特徴とする請求項１記載のファイル制御装置。
【請求項３】
前記無線カードは、前記関連付けられたファイルを認証するための認証情報をさらに保持し、
前記ファイル操作要求手段は、前記認証情報を提示した上で前記操作を要求することを特徴とする請求項１記載のファイル制御装置。
【請求項４】
前記無線カードは、前記関連付けられたファイルの複製に関する付加情報をさらに保持し、
前記ファイル操作要求手段は、前記付加情報を提示した上で前記操作を要求することを特徴とする請求項１記載のファイル制御装置。
【請求項５】
前記操作は、前記ファイル間の移動処理であることを特徴とする請求項１記載のファイル制御装置。
【請求項６】
前記操作は、前記ファイル間の複写処理であることを特徴とする請求項１記載のファイル制御装置。
【請求項７】
ファイルシステムを備えるサーバと、前記ファイルシステム上のファイルを制御するファイル制御装置とを具備するファイル操作システムであって、
前記ファイル制御装置は、前記ファイルシステム上の所定のファイルに関連付けられた複数の無線カードとの間で通信を行う通信手段と、前記通信が行われた前記複数の無線カード同士の順位を決定する順位決定手段と、前記順位に応じて前記複数の無線カードに関連付けられたファイル間の操作を前記サーバに要求するファイル操作要求手段とを備え、
前記サーバは、前記ファイル制御装置からの要求に応じて前記ファイルシステム上のファイル間の操作を行うファイル操作手段を備える
ことを特徴とするファイル操作システム。
【請求項８】
前記ファイル操作要求手段は、前記関連付けられたファイルを認証するための認証情報を提示した上で前記操作を要求し、
前記ファイル操作手段は、前記認証情報に基づく認証が成功した場合に限り前記ファイルシステム上のファイル間の操作を行う
ことを特徴とする請求項７記載のファイル操作システム。
【請求項９】
ファイルシステム上の所定のファイルに関連付けられた複数の無線カードとの間で通信を行う手順と、
前記通信が行われた前記複数の無線カード同士の順位を決定する手順と、
前記順位に応じて前記複数の無線カードに関連付けられたファイル間の操作を前記ファイルシステムに要求する手順と
を具備することを特徴とするファイル制御方法。
【発明の詳細な説明】
【技術分野】
【０００１】
本発明は、ファイル制御装置、ファイル操作システムおよびファイル制御方法に関し、特に特にＩＣカードなどの無線による非接触型カードを用いてファイル制御を行う装置、システム、および、これらにおける処理方法に関する。
【背景技術】
【０００２】
無線カードは、無線を用いた非接触型カードであり、ＩＣカードやＲＦＩＤ（Radio Frequency Identification）カードなどと呼ばれている。この無線カードは、メモリおよび通信回路を含むＩＣチップとアンテナとにより構成され、外部からの誘電によって通信を行う。
【０００３】
無線カードは、人間にとって片手で扱うことができる重量およびサイズを有しており、取り扱いが容易である。これに対し、ファイルシステム上の各ファイルは直接触ることができるものではなく、コンピュータを通じたそれらファイルの取扱いは人間に煩雑な思いを抱かせる場合がある。
【０００４】
カードを用いてファイルを操作する従来技術として、接触型のカードを利用したものが知られている。従来の接触型のカードは、カードリーダの予め定められたスロットに挿入されることにより、スロット内に配置されたばね端子とカードの入出力端子とが接触するようになっている。この種の接触型カードを利用した装置として、例えば、電子マネー情報を格納した複数枚の接触型カード間で電子マネー情報を転送する装置が提案されている（例えば、特許文献１参照。）。
【特許文献１】特開２００３−１６２６８２号公報（図５）
【発明の開示】
【発明が解決しようとする課題】
【０００５】
上述の従来技術によれば、複数枚の接触型カードの入出力端子とスロット内に配置された複数のばね端子とを接触させることにより、複数枚の接触型カードにおける所定の一つに記録されている内容を他方へ転送することができる。このような情報の転送を行うためには転送方向を適切に定義することが必要であり、従来技術ではスロット内に配置された複数のばね端子の位置に応じてカードの各々を順位付けすることによって、転送方向を定めている。
【０００６】
しかしながら、無線カードのような非接触型カードにおいては、端子間の物理的な接触が行われないことから、カードの各々を順位付けするために従来技術を利用することができない。また、無線カードにおけるメモリの記憶容量は必ずしも大きくないことから、ファイルサイズの大きいファイルをそのまま扱うには適さないという問題がある。
【０００７】
そこで、本発明は、無線カードを通じてファイルシステム上のファイルを操作することを目的とする。
【課題を解決するための手段】
【０００８】
本発明は、上記課題を解決するためになされたものであり、その第１の側面は、ファイルシステム上の所定のファイルに関連付けられた複数の無線カードとの間で通信を行う通信手段と、上記通信が行われた上記複数の無線カード同士の順位を決定する順位決定手段と、上記順位に応じて上記複数の無線カードに関連付けられたファイル間の操作を上記ファイルシステムに要求するファイル操作要求手段とを具備することを特徴とするファイル制御装置である。これにより、所定のファイルに関連付けられた複数の無線カード同士に順位を付与して、その順位に応じてファイル間の操作を実行させるという作用をもたらす。
【０００９】
また、この第１の側面において、上記無線カードが上記関連付けられたファイルの格納場所を保持し、上記ファイル操作要求手段が上記格納場所に基づいて上記操作を要求するようにしてもよい。これにより、ファイルの格納場所を明示的に入力することを不要にするという作用をもたらす。
【００１０】
また、この第１の側面において、上記無線カードが上記関連付けられたファイルを認証するための認証情報をさらに保持し、上記ファイル操作要求手段が上記認証情報を提示した上で上記操作を要求するようにしてもよい。これにより、認証を前提とした安全性の高いファイル操作を実行させるという作用をもたらす。
【００１１】
さらに、この第１の側面において、上記無線カードが上記関連付けられたファイルの複製に関する付加情報をさらに保持し、上記ファイル操作要求手段が上記付加情報を提示した上で上記操作を要求するようにしてもよい。これにより、付加情報に定義された条件下でファイル操作を実行させるという作用をもたらす。
【００１２】
なお、この第１の側面において、ファイル操作とは、例えばファイル間の移動処理または複写処理を想定できるが、これ以外のファイル操作を特に排除するものではない。
【００１３】
また、本発明の第２の側面は、ファイルシステムを備えるサーバと、上記ファイルシステム上のファイルを制御するファイル制御装置とを具備するファイル操作システムであって、上記ファイル制御装置は、上記ファイルシステム上の所定のファイルに関連付けられた複数の無線カードとの間で通信を行う通信手段と、上記通信が行われた上記複数の無線カード同士の順位を決定する順位決定手段と、上記順位に応じて上記複数の無線カードに関連付けられたファイル間の操作を上記サーバに要求するファイル操作要求手段とを備え、上記サーバは、上記ファイル制御装置からの要求に応じて上記ファイルシステム上のファイル間の操作を行うファイル操作手段を備えることを特徴とするファイル操作システムである。これにより、サーバにおけるファイルシステム上のファイルの操作を、それらファイルに関連付けられた複数の無線カードに付与された順位に応じて実行させるという作用をもたらす。
【００１４】
また、この第２の側面において、上記ファイル操作要求手段が上記関連付けられたファイルを認証するための認証情報を提示した上で上記操作を要求し、上記ファイル操作手段が上記認証情報に基づく認証が成功した場合に限り上記ファイルシステム上のファイル間の操作を行うようにしてもよい。これにより、認証を前提とした安全性の高いファイル操作を実行させるという作用をもたらす。
【００１５】
また、本発明の第３の側面は、ファイルシステム上の所定のファイルに関連付けられた複数の無線カードとの間で通信を行う手順と、上記通信が行われた上記複数の無線カード同士の順位を決定する手順と、上記順位に応じて上記複数の無線カードに関連付けられたファイル間の操作を上記ファイルシステムに要求する手順とを具備することを特徴とするファイル制御方法である。これにより、所定のファイルに関連付けられた複数の無線カード同士に順位を付与して、その順位に応じてファイル間の操作を実行させるという作用をもたらす。
【発明の効果】
【００１６】
本発明によれば、無線カードを通じてファイルシステム上のファイルを操作することができるという優れた効果を奏し得る。
【発明を実施するための最良の形態】
【００１７】
次に本発明の実施の形態について図面を参照して詳細に説明する。
【００１８】
図１は、本発明の実施の形態におけるコンピュータシステムの構成例を示す図である。このコンピュータシステムでは、ネットワーク２８１上に、コンピュータ２１０、ホームサーバ２３０、および、携帯機器２９０が接続されている。また、コンピュータ２１０および携帯機器２９０にはそれぞれカードアクセス装置２４０が接続されている。また、ネットワーク２８１には、モデム２８２がさらに接続されており、外部のネットワーク２８３とコンピュータシステム内のネットワーク２８１とが適宜接続できるようになっている。
【００１９】
コンピュータ２１０および携帯機器２９０は、ユーザが直接利用することを前提として設けられた情報処理装置である。これに対して、ホームサーバ２３０は、ネットワーク２８１を介してコンピュータ２１０および携帯機器２９０を通じて利用されることを前提として設けられた情報処理装置である。これらコンピュータ２１０、ホームサーバ２３０および携帯機器２９０は、（図示しない）ディスク装置などの記憶装置を備えることができる。情報処理装置としてのこれらコンピュータ２１０、ホームサーバ２３０および携帯機器２９０は、自身の記憶装置に直接アクセスするだけでなく、ネットワーク２８１を介することによって他の情報処理装置の記憶装置にアクセスすることもできる。
【００２０】
カードアクセス装置２４０は、無線カードへのアクセスを行うカードアクセス装置であり、すなわち無線カードに情報を送信し、もしくは、無線カードからの情報を受信するものである。このような無線カードへのアクセスは、そのカードアクセス装置２４０の接続するコンピュータ２１０や携帯機器２９０の制御の下で行われる。
【００２１】
図２は、本発明の実施の形態における無線カード４０の一構成例を示す図である。図２（ａ）を参照すると、この無線カード４０は、制御部４１０と、メモリ４２０と、通信部４３０と、乱数発生部４４０とを備えている。
【００２２】
制御部４１０は、無線カード４０全体の動作を制御するものである。メモリ４２０は、無線カード４０として必要なデータを保持するものである。通信部４３０は、外部からの誘電によって通信を行うものであり、ここでは無線カード４０に埋め込まれたアンテナを含むことを想定している。乱数発生部４４０は、所定の乱数を発生するものである。
【００２３】
カードリーダもしくはカードリーダライタなどのカードアクセス装置からの電波を通信部４３０が受けると、制御部４１０は乱数発生部４４０に乱数を発生される。そして、乱数発生部４４０の発生した乱数に対応する期間が経過すると、制御部４１０はメモリ４２０に保持された所定のデータを通信部４３０から送信させる。
【００２４】
無線カード４０のメモリ４２０に保持されるデータには、図２（ｂ）に示されるように、カード識別子４２１と、格納場所４２３と、付加情報４２４と、認証キー４２５とが含まれている。
【００２５】
カード識別子４２１は、その無線カード４０を識別するための情報である。格納場所４２３は、その無線カード４０に関連付けられるファイルのファイルシステム上の格納場所を指し示す情報である。なお、ここにいうファイルとは、通常の個別ファイルの他、個別ファイルを配下に有するフォルダ（ディレクトリ）を含む広い概念を意味する。また、ここにいうファイルシステムとは、特定のコンピュータにおけるファイル構造の他、ネットワークを通じてアクセス可能なファイル構造全体を意味する。従って、格納場所４２３は、ＵＲＬ（Uniform Resource Locator）として表現することが可能である。
【００２６】
付加情報４２４は、格納場所４２３によって識別されるファイルの複製に関する情報である。この複製に関する情報としては、例えば、複製可能な回数や期間などを想定することができる。
【００２７】
認証キー４２５は、格納場所４２３によって識別されるファイルを認証するための認証情報である。この認証情報はいわゆるパスワードとして機能するものであり、この認証情報が正当なものでない場合にはファイルにアクセスすることが認められない。この認証キー４２５は、ファイルへのアクセス要求とともに送信されて、送信先における認証処理に供される。
【００２８】
なお、これら無線カード４０における情報は適宜暗号が施された状態により記録される。特に、認証キー４２５や付加情報４２４などは改ざんや成りすましを防止するためにも不正なアクセスを禁止する必要がある。このような暗号化手段については周知の技術であるため、ここでは説明を省略する。
【００２９】
図３は、本発明の実施の形態におけるコンピュータ２１０、ホームサーバ２３０、および、携帯機器２９０の構成例を示す図である。ここでは、ホームサーバ２３０におけるファイルシステム５２０にファイルが格納され、ホームサーバ２３０および携帯機器２９０からファイルシステム５２０上のファイルにアクセスすることを想定する。
【００３０】
まず、ファイルへのアクセスに先立って、例えばコンピュータ２１０が無線カード４０に認証キー４２５を記録するものとする。そのために、コンピュータ２１０における認証キー要求部２１１は、ホームサーバ２３０に対して所望のファイルに対する認証キーを要求する。ホームサーバ２３０における認証キー要求受付部２３１は、その認証キー要求を受け付ける。その結果、ホームサーバ２３０における認証キー発行部２３２は要求された認証キーを発行する。
【００３１】
コンピュータ２１０における認証キー更新部２１２は、ホームサーバ２３０における認証キー発行部２３２によって発行された認証キーを受け取って、カードインターフェース２１３に載置等された無線カード４０の認証キー４２５を更新する。これにより、所望のファイルに対する認証キーを保持する無線カード４０が生成される。なお、無線カード４０において格納場所４２３などは予め記録されているものとする。
【００３２】
このようにして生成された複数の無線カード４０が携帯機器２９０のカードインターフェース２９４に載置等されると、カードインターフェース２９４は載置等の状態から無線カード４０間の同士の順位を決定する。ファイル操作要求部２９７はそのように決定された順位に応じて、ホームサーバ２３０に対して認証キーを提示した上でファイル操作を要求する。ホームサーバ２３０における認証部２３７は、提示された認証キーの認証を行う。
【００３３】
ホームサーバ２３０における認証部２３７が認証に成功すると、ホームサーバ２３０のファイル操作部２３９はファイルシステム５２０におけるファイルの操作を行って、その結果を携帯機器２９０に返送する。携帯機器２９０におけるファイル操作結果受付部２９９がホームサーバ２３０からファイル操作の結果を受けると、一連のファイル操作に関する処理が終了する。
【００３４】
図４は、本発明の実施の形態における無線カード４０によるファイル操作の具体例を示す図である。図４（ａ）に示すように、カードアクセス装置２４０における上部に無線カードＡ４３が載置され、下部に無線カードＸ４４が載置された場合、上位に載置された無線カードＡ４３の方が無線カードＸ４４よりも順位が高いものと定義することを想定する。
【００３５】
図４（ｂ）の左に示すように、ファイル操作前には、無線カードＡ４３に対応するファイルシステム５２０上のカードＡフォルダ５４３にはファイルａおよびｂが保持され、無線カードＸ４４に対応するファイルシステム５２０上のカードＸフォルダ５４４にはファイルｘが保持されているものとする。そして、図４（ａ）に示すような配置で無線カード４３および４４が載置されることにより、図４（ｂ）の右に示すようなファイル操作が行われる。すなわち、カードＸフォルダ５４４に保持されていたファイルｘがカードＡフォルダ５４３に保持されるようになる。
【００３６】
図５は、本発明の実施の形態におけるファイル処理による削除フォルダの取扱い例を示す図である。図５（ａ）に示すように、カードＸフォルダ５４４に保持されていたファイルｘがカードＡフォルダ５４３に移動する場合の処理を想定する。このとき、移動処理後のカードＸフォルダ５４４内のファイルｘを、ファイルシステム５２０上のファイル削除により削除することが考えられる。この場合、カードＸフォルダ５４４にはファイルｘが残らないため、カードＸフォルダ５４４に関連付けられるカードＸ４４はそのままの状態で構わない。すなわち、カードＸ４４の格納場所（４２３）にはカードＸフォルダ５４４を指し示す情報が保持されたままの状態で、変更の必要はない。
【００３７】
これに対し、カードＸ４４の格納場所を変更する方法もある。図５（ｂ）に示すように、移動処理後にカードＸ４４の格納場所が何も指し示さない状態にすることにより、カードＸ４４とカードＸフォルダ５４４内のファイルｘとの関連付けを解消することができる。この場合、カードＸフォルダ５４４におけるファイルｘの存否は問題とはならず、カードＸ４４とカードＸフォルダ５４４内のファイルｘとの関連付けは失われる。
【００３８】
なお、ここでは、一例としてファイルの移動処理を例に挙げて説明したが、これ以外にもファイルの複写処理を行うようにしてもよい。図４（ｂ）の移動処理ではカードＸフォルダ５４４からファイルｘが結果的に削除されているが、複写処理の場合にはファイルｘがカードＡフォルダ５４３に保持されるようになった後でもカードＸフォルダ５４４にはファイルｘがそのまま保持されることになる。
【００３９】
図６は、本発明の実施の形態におけるカードアクセス装置２４０の外観例を示す図である。図６（ａ）はカードアクセス装置２４０の正面図であり、図６（ｂ）はカードアクセス装置２４０の側面図である。
【００４０】
このカードアクセス装置２４０は、無線カードを受けるカード受け部２４１および２４２を備えている。これらカード受け部２４１および２４２はそれぞれ無線カードを１枚ずつ受け得るようになっており、この図の例では、カード受け部２４１に無線カード４１が、カード受け部２４２に無線カード４２が、それぞれ載置されている。
【００４１】
このようなカードアクセス装置２４０においてカード受け部２４１の方がカード受け部２４２よりも順位が高いものと定義しておいて、ファイルの移動操作を行うことができる。すなわち、カード受け部２４１および２４２に無線カード４１および４２がそれぞれ載置された場合、カード受け部２４２に載置された無線カード４２と関連付けられたファイルをカード受け部２４１に載置された無線カード４１と関連付けられたフォルダに移動させることができる。
【００４２】
図７は、本発明の実施の形態におけるカードアクセス装置２４０の内部構成例を示す図である。図７（ａ）の例では、カードアクセス装置２４０は、アンテナＡ２４３およびＢ２４４と、切換スイッチ２４５と、通信部２４６と、通信制御部２４９とを備えている。
【００４３】
アンテナＡ２４３はカード受け部２４１に載置されている無線カードとの間の通信に用いられるものであり、アンテナＢ２４４はカード受け部２４２に載置されている無線カードとの間の通信に用いられるものである。切換スイッチ２４５は、これらアンテナＡ２４３およびＢ２４４の何れか一方と通信部２４６とが接続するよう切り換えるものである。
【００４４】
通信部２４６は、アンテナＡ２４３またはＢ２４４を介して無線カードとの間の通信を行うものである。通信制御部２４９は、通信部２４６における通信に関して制御を行うものであり、例えば、通信が行われた無線カードについてそれらの順位を決定し、その順位に応じて所定の操作を行う。
【００４５】
図７（ｂ）の例では、カードアクセス装置２４０は、図７（ａ）の例のような切換スイッチ２４５を用いずに、通信部Ａ２４６およびＢ２４７による通信を行う。図７（ａ）および（ｂ）は、実質的には同様の処理を行うものである。
【００４６】
図７（ｃ）の例では、カードアクセス装置２４０は、アンテナ２４３と、通信部２４６と、電波強度測定部２４８と、通信制御部２４９とを備えている。図７（ａ）および（ｂ）と異なり、単一のアンテナ２４３、および、電波の強度を測定する電波強度測定部２４８が用いられる。これにより、通信制御部２４９は、電波強度測定部２４８によって測定された各電波の強度に従って、無線カードの順位を決定する。
【００４７】
図８は、本発明の実施の形態における他のカードアクセス装置２５０の外観例を示す図である。図８（ａ）はカードアクセス装置２５０の正面図であり、図８（ｂ）はカードアクセス装置２５０の側面図である。
【００４８】
このカードアクセス装置２５０は、無線カードを受けるカード受け部２５１を備えている。このカード受け部２５１は無線カードを複数枚受け得るようになっており、この図の例では、前面に無線カード４１が載置され、その背面には無線カード４２が載置されている。
【００４９】
このカードアクセス装置２５０においては、図７（ｃ）により説明した内部構成例を採用することにより無線カード４１および４２を区別することができる。すなわち、カードアクセス装置２５０からみて遠い位置に載置されている無線カード４１の方が電波強度は弱く、近い位置に載置されている無線カード４２の方が電波強度は強くなるはずである。このような電波強度の強弱を利用して、カードアクセス装置２５０は無線カード４１および４２を区別することができる。
【００５０】
図９は、本発明の実施の形態におけるさらに他のカードアクセス装置２６０の外観例を示す図である。このカードアクセス装置２６０は、無線カードを受けるカード受け部２６１および２６２を備えている。これらカード受け部２６１および２６２はそれぞれ無線カードを１枚ずつ受け得るようになっており、この図の例では、カード受け部２６１に無線カード４１が、カード受け部２６２に無線カード４２が、それぞれ載置されている。
【００５１】
カードアクセス装置２６０は、カード受け部２６１および２６２の優先順位を指定する優先順位指定ボタン２６３および２６４を備えている。例えば、優先順位指定ボタン２６３が押下されている状態では、カード受け部２６２の方がカード受け部２６１よりも順位が高くなり、ファイルの移動操作の際にはカード受け部２６１に載置された無線カード４１と関連付けられたファイルをカード受け部２６２に載置された無線カード４２と関連付けられたフォルダに移動させることができる。一方、優先順位指定ボタン２６４が押下されている状態では、カード受け部２６１の方がカード受け部２６２よりも順位が高くなり、ファイルの移動操作の際にはカード受け部２６２に載置された無線カード４２と関連付けられたファイルをカード受け部２６１に載置された無線カード４１と関連付けられたフォルダに移動させることができる。
【００５２】
図１０は、本発明の実施の形態におけるカードアクセス装置の動作例を示す図である。まず、カードアクセス装置は、カウンタｉの初期値を「０」として（ステップＳ９１１）、さらにカウンタｉに「１」を加えて（ステップＳ９１２）、ｉ番目の無線カードを読み出す（ステップＳ９１３）。そして、未読の無線カードがなくなるまで（ステップＳ９１４）、カウンタｉに「１」を加えながら（ステップＳ９１２）、ｉ番目の無線カードを読み出していく（ステップＳ９１３）。すなわち、カードアクセス装置は、１番目からＮ番目（Ｎは無線カードの枚数）の無線カードを順次読み出すことになる。
【００５３】
このようにして読み出された無線カードの格納場所４２３に基づいて、関連付けられたファイルのファイル構造が解析される（ステップＳ９１５）。そして、読み出された無線カードの順位付けが可能な場合には（ステップＳ９１６）、それぞれの無線カードに関連付けられたファイルについて所定のファイル操作が行われる（ステップＳ９１７）。
【００５４】
このように、本発明の実施の形態によれば、ファイルに関連付けられた無線カードの載置等の状態に応じてファイル操作要求部２９７がホームサーバ２３０におけるファイルの操作を要求することにより、無線カードを通じてファイルシステム５２０上のファイルを操作することができる。
【００５５】
なお、本発明の実施の形態では、カードを利用したファイル操作について説明したが、これらファイルは従来と同様にコンピュータ等を介して操作できるようにしてもよい。
【００５６】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００５７】
すなわち、請求項１において、通信手段は例えば通信部２４６等に対応する。また、順位決定手段は例えばカードインターフェース２９４もしくは通信制御部２４９に対応する。また、ファイル操作要求手段は例えばファイル操作要求部２９７に対応する。
【００５８】
また、請求項２において、格納場所は例えば格納場所４２３に対応する。また、請求項３において、認証情報は例えば認証キー４２５に対応する。また、請求項４において、付加情報は例えば付加情報４２４に対応する。
【００５９】
また、請求項７において、サーバは例えばホームサーバ２３０に対応する。また、ファイル制御装置は例えば携帯機器２９０に対応する。通信手段は例えば通信部２４６等に対応する。また、順位決定手段は例えばカードインターフェース２９４もしくは通信制御部２４９に対応する。また、ファイル操作要求手段は例えばファイル操作要求部２９７に対応する。また、ファイル操作手段は例えばファイル操作部２３９に対応する。
【００６０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００６１】
【図１】本発明の実施の形態におけるコンピュータシステムの構成例を示す図である。
【図２】本発明の実施の形態における無線カード４０の一構成例を示す図である。
【図３】本発明の実施の形態におけるコンピュータ２１０、ホームサーバ２３０、および、携帯機器２９０の構成例を示す図である。
【図４】本発明の実施の形態における無線カード４０によるファイル操作の具体例を示す図である。
【図５】本発明の実施の形態におけるファイル処理による削除フォルダの取扱い例を示す図である。
【図６】本発明の実施の形態におけるカードアクセス装置２４０の外観例を示す図である。
【図７】本発明の実施の形態におけるカードアクセス装置２４０の内部構成例を示す図である。
【図８】本発明の実施の形態における他のカードアクセス装置２５０の外観例を示す図である。
【図９】本発明の実施の形態におけるさらに他のカードアクセス装置２６０の外観例を示す図である。
【図１０】本発明の実施の形態におけるカードアクセス装置の動作例を示す図である。
【符号の説明】
【００６２】
４０〜４４  無線カード
２１０  コンピュータ
２１１  認証キー要求部
２１２  認証キー更新部
２１３、２９４  カードインターフェース
２３０  ホームサーバ
２３１  認証キー要求受付部
２３２  認証キー発行部
２３７  認証部
２３９  ファイル操作部
２４０、２５０、２６０  カードアクセス装置
２４１、２４２、２５１、２６１、２６２  カード受け部
２４３  アンテナ
２４５  切換スイッチ
２４６  通信部
２４８  電波強度測定部
２４９  通信制御部
２６３、２６４  優先順位指定ボタン
２８１、２８３  ネットワーク
２８２  モデム
２９０  携帯機器
２９７  ファイル操作要求部
２９９  ファイル操作結果受付部
４１０  制御部
４２０  メモリ
４３０  通信部
４４０  乱数発生部
５２０  ファイルシステム
【図１】
2006285367.tif 000003
【図２】
2006285367.tif 000004
【図３】
2006285367.tif 000005
【図４】
2006285367.tif 000006
【図５】
2006285367.tif 000007
【図６】
2006285367.tif 000008
【図７】
2006285367.tif 000009
【図８】
2006285367.tif 000010
【図９】
2006285367.tif 000011
【図１０】
2006285367.tif 000012